(57)【要約】【課題】原稿の種類（色、模様、形状等）によって送信規制を行うことができる画像送信装置を提供する。【解決手段】原稿読取り部１１０は、ファクシミリ装置１００にセットされた送信原稿を光学的に読み取り、送信原稿の画像データを生成する。画像記憶部１２０は、原稿読取り部１１０から出力される画像データを一時的に記憶する。送信可否判別部１３０は、画像記憶部１２０に記憶された送信原稿の画像データを解析して、当該原稿（画像データ）が送信可能か否かを判別する。画像送信部１４０は、送信可否判別部１３０の判別の結果、送信可能である場合は、画像記憶部１２０に記憶された画像データを送信可能なデータ形式に変換して、公衆電話回線網等を介して、指定された送信先に伝送する。【選択図】図１
2006261719.tif 000002
【特許請求の範囲】
【請求項１】
送信対象の原稿の色に基づいて、当該原稿が送信可能な原稿か否かを判別する判別手段と、
前記判別手段によって送信可能と判断された場合に、前記原稿から読み取られた画像を送信先に送信する送信手段と
を備えたことを特徴とする画像送信装置。
【請求項２】
送信対象の原稿の濃度に基づいて、当該原稿が送信可能な原稿か否かを判別する判別手段と、
前記判別手段によって送信可能と判断された場合に、前記原稿から読み取られた画像を送信先に送信する送信手段と
を備えたことを特徴とする画像送信装置。
【請求項３】
送信対象の原稿の背景模様に基づいて、当該原稿が送信可能な原稿か否かを判別する判別手段と、
前記判別手段によって送信可能と判断された場合に、前記原稿から読み取られた画像を送信先に送信する送信手段と
を備えたことを特徴とする画像送信装置。
【請求項４】
送信対象の原稿の形状に基づいて、当該原稿が送信可能な原稿か否かを判別する判別手段と、
前記判別手段によって送信可能と判断された場合に、前記原稿から読み取られた画像を送信先に送信する送信手段と
を備えたことを特徴とする画像送信装置。
【請求項５】
送信対象の原稿の記載内容に基づいて、当該原稿が送信可能な原稿か否かを判別する判別手段と、
前記判別手段によって送信可能と判断された場合に、前記原稿から読み取られた画像を送信先に送信する送信手段と
を備えたことを特徴とする画像送信装置。
【請求項６】
前記判別手段は、前記原稿の内容部分の少なくとも一部が特定の形式で記載されているか否かによって、送信可能な原稿か否かを判別する
ことを特徴とする請求項５に記載の画像送信装置。
【請求項７】
前記特定の形式は、表形式である
ことを特徴とする請求項６に記載の画像送信装置。
【請求項８】
前記原稿の読み取りを行う原稿読取り手段を更に備えた
ことを特徴とする請求項１〜７のいずれか一項に記載の画像送信装置。
【請求項９】
前記原稿読取り手段によって読み取られた原稿の画像データを格納する記憶手段を更に備えた
ことを特徴とする請求項８に記載の画像送信装置。
【発明の詳細な説明】
【技術分野】
【０００１】
本発明は、ファクシミリ装置等の画像送信装置に関する。
【背景技術】
【０００２】
企業等が有する顧客情報その他の機密情報は、機密情報が印刷された紙文書が企業等から持ち出されることで漏洩することが少なくない。そのため、現在では、機密情報その他の各種情報を原則として電子データで管理して、紙媒体への出力はできるだけ制限するような運用を行う場合がある。しかしながら、このような運用を行っている場合であっても、紙媒体の有用性から、紙媒体を完全に無くすことは困難である。そのため、次善の策として、特定の管理領域内（例えば、特定の建物内や部屋内）でのみ紙媒体への出力を許し、管理領域から外部への紙文書の持ち出しを厳しく監視することが考えられる。
【０００３】
上記管理領域内においても、作業効率等の観点から、ファクシミリ装置を設置したい場合がある。しかしながら、管理領域内にファクシミリ装置を設置すると、管理領域からの紙文書の持ち出し禁止だけでは、機密情報の漏洩が防げなくなる。すなわち、紙文書に記載された情報をファクシミリ装置で読み取って、管理領域外部に送信すれば、紙文書を持ち出すことなく、機密情報を管理領域外部へ持ち出すことが可能となる。そこで、かかる場合においては、ファクシミリ装置によって送信可能な情報を制限できるのが望ましい。
【０００４】
なお、特開平７−１７０３６１号公報には、原稿の特定箇所に記載された機密文書であることを示す特定のマーク又は文字を自動的に認識し、送信規制を行うファクシミリ装置が開示されている。
【特許文献１】特開平７−１７０３６１号公報
【発明の開示】
【発明が解決しようとする課題】
【０００５】
本発明の目的は、原稿の種類（色、模様、形状等）によって送信規制を行うことができる画像送信装置を提供することにある。
【課題を解決するための手段】
【０００６】
本発明に係る第一の画像送信装置は、送信対象の原稿の色に基づいて、当該原稿が送信可能な原稿か否かを判別する判別手段と、前記判別手段によって送信可能と判断された場合に、前記原稿から読み取られた画像を送信先に送信する送信手段とを備えたことを特徴とする。
【０００７】
また、本発明に係る第二の画像送信装置は、送信対象の原稿の濃度に基づいて、当該原稿が送信可能な原稿か否かを判別する判別手段と、前記判別手段によって送信可能と判断された場合に、前記原稿から読み取られた画像を送信先に送信する送信手段とを備えたことを特徴とする。
【０００８】
また、本発明に係る第三の画像送信装置は、送信対象の原稿の背景模様に基づいて、当該原稿が送信可能な原稿か否かを判別する判別手段と、前記判別手段によって送信可能と判断された場合に、前記原稿から読み取られた画像を送信先に送信する送信手段とを備えたことを特徴とする。
【０００９】
また、本発明に係る第四の画像送信装置は、送信対象の原稿の形状に基づいて、当該原稿が送信可能な原稿か否かを判別する判別手段と、前記判別手段によって送信可能と判断された場合に、前記原稿から読み取られた画像を送信先に送信する送信手段とを備えたことを特徴とする。
【００１０】
また、本発明に係る第五の画像送信装置は、送信対象の原稿の記載内容に基づいて、当該原稿が送信可能な原稿か否かを判別する判別手段と、前記判別手段によって送信可能と判断された場合に、前記原稿から読み取られた画像を送信先に送信する送信手段とを備えたことを特徴とする。
【００１１】
この場合において、前記判別手段は、前記原稿の内容部分の少なくとも一部が特定の形式（例えば、表形式）で記載されているか否かによって、送信可能な原稿か否かを判別するようにしてもよい。
【００１２】
また、以上の場合において、前記原稿の読み取りを行う原稿読取り手段を更に備えるようにしてもよいし、更に、前記原稿読取り手段によって読み取られた原稿の画像データを格納する記憶手段を備えるようにしてもよい。
【発明の効果】
【００１３】
本発明によれば、原稿の種類によって送信規制を行うことが可能になり、機密情報の漏洩を防止することができる。
【発明を実施するための最良の形態】
【００１４】
以下、本発明の実施の形態について、図面を参照しつつ詳細に説明する。
【００１５】
図１は、本発明によるファクシミリ装置の構成を示す図である。
【００１６】
同図に示すように、本発明によるファクシミリ装置１００は、原稿読取り部１１０と、画像記憶部１２０と、送信可否判別部１３０と、画像送信部１４０とを備える。なお、同図では、簡単のため、送信時に動作する構成要素のみを示している。
【００１７】
原稿読取り部１１０は、ファクシミリ装置１００にセットされた送信原稿を光学的に読み取り、送信原稿の画像データを生成する。画像記憶部１２０は、原稿読取り部１１０から出力される画像データを一時的に記憶する。送信可否判別部１３０は、画像記憶部１２０に記憶された送信原稿の画像データを解析して、当該原稿（画像データ）が送信可能か否かを判別する。判別方法の詳細については後述する。
【００１８】
画像送信部１４０は、送信可否判別部１３０の判別の結果、送信可能である場合は、画像記憶部１２０に記憶された画像データを送信可能なデータ形式に変換して、公衆電話回線網等を介して、指定された送信先に伝送する。
【００１９】
次に、以上のような構成を有するファクシミリ装置１００の送信時の動作について説明する。
【００２０】
≪第一実施形態≫
まず、送信原稿の背景色（用紙の色）によって送信可能な原稿か否かを判別する実施形態について説明する。本実施形態は、送信原稿の用紙の色が予め定められた特定の色である場合は、当該原稿は、送信が許可された原稿であると判断して送信を行い、それ以外の色である場合は、送信が許可された原稿ではないと判断して送信を行わないようにするものである。
【００２１】
図２は、本実施形態におけるファクシミリ装置の動作の流れを示すフローチャートである。
【００２２】
同図に示すように、まず、ファクシミリ装置１００に送信原稿をセットして、送信先番号を入力した後に、スタートボタンを押すと、原稿読取り部１１０によって、送信原稿の読み取りが行われ、原稿読取り部１１０によって読み取られた画像データが、画像記憶部１２０に格納される（Ｓ２０１）。なお、この場合、原稿読取り部１１０から出力される画像データは、カラーデータ又はグレースケールデータである。
【００２３】
画像記憶部１２０への送信原稿の画像データの格納が終了すると、送信可否判別部１３０によって、画像データから原稿の背景色の抽出が行われ（Ｓ２０２）、抽出した背景色が送信可能な色（予め定められた特定の色）か否かの判別が行われる（Ｓ２０３）。
【００２４】
判別の結果、原稿の背景色が送信可能な色であった場合は（Ｓ２０３：Ｙｅｓ）、画像送信部１４０によって、画像記憶部１２０に格納された画像データが、指定された送信先に伝送される（Ｓ２０４）。一方、原稿の背景色が送信可能な色でなかった場合は（Ｓ２０３：Ｎｏ）、ファクシミリ装置１００の表示部（ＬＣＤ等）に、エラーメッセージが表示され、利用者に当該原稿は送信できない旨が通知される（Ｓ２０５）。
【００２５】
以上のような処理を行うことにより、予め定められた背景色を有する原稿のみ、ファクシミリ装置１００によって送信できるようにすることができる。従って、予め定められた色の用紙を管理することで、ファクシミリ装置１００によって送信可能な原稿を制限することができる。
【００２６】
本実施形態は、例えば、管理領域内に設置されたファクシミリ装置で送信を行いたい文書等については、管理者によって厳重に管理されている特定のプリンタ（記録用紙として、送信可能な色の用紙がセットされている）に出力するという運用が行われている状況で利用することが考えられる。
【００２７】
≪第二実施形態≫
次に、送信原稿の背景模様（パターン）によって、送信可能な原稿か否かを判別する実施形態について説明する。従来から、機密文書の不正な複写を抑止するために、桜紙と呼ばれる特殊な用紙が用いられている。桜紙とは、人間の目には見えにくい特殊なパターン画像が予め印刷されている用紙であり、複写機で複写すると、隠されていた警告文字（例えば、「複写禁止」）等が浮かび上がってくるものである。本実施形態は、送信原稿の用紙が桜紙である場合は、当該原稿は、機密情報が記載された原稿であると判断して、送信を行わないようにするものである。
【００２８】
図３は、本実施形態におけるファクシミリ装置の動作の流れを示すフローチャートである。
【００２９】
同図に示すように、まず、ファクシミリ装置１００に送信原稿をセットして、送信先番号を入力した後に、スタートボタンを押すと、原稿読取り部１１０によって、送信原稿の読み取りが行われ、原稿読取り部１１０によって読み取られた画像データが、画像記憶部１２０に格納される（Ｓ３０１）。なお、この場合、原稿読取り部１１０から出力される画像データは、カラーデータ又はグレースケールデータである。
【００３０】
画像記憶部１２０への送信原稿の画像データの格納が終了すると、送信可否判別部１３０によって、画像データから原稿の背景濃度の抽出が行われ（Ｓ３０２）、抽出した背景濃度に基づいて、読み取られた原稿に使用されている用紙が桜紙（複写防止用紙）か否かの判別が行われる（Ｓ３０３）。
【００３１】
判別の結果、原稿に使用されている用紙が桜紙でなかった場合は（Ｓ３０３：Ｎｏ）、画像送信部１４０によって、画像記憶部１２０に格納された画像データが、指定された送信先に伝送される（Ｓ３０４）。一方、原稿に使用されている用紙が桜紙であった場合は（Ｓ３０３：Ｙｅｓ）、ファクシミリ装置１００の表示部に、エラーメッセージが表示され、利用者に当該原稿は送信できない旨が通知される（Ｓ３０５）。
【００３２】
以上のような処理を行うことにより、桜紙等の複写防止用紙に記録された原稿は、ファクシミリ装置１００によって送信できないようにすることができる。
【００３３】
本実施形態は、例えば、機密情報を含む電子文書については、管理者によって厳重に管理されている特定のプリンタ（記録用紙として桜紙がセットされている）によってのみ印刷できるようにシステム運用がなれている状況で利用することが考えられる。
【００３４】
≪第三実施形態≫
次に、送信原稿の形状によって、送信可能な原稿か否かを判別する実施形態について説明する。本実施形態は、送信原稿の用紙が予め定められた特定の形状を有する場合は、当該原稿は、送信が許可された原稿であると判断して送信を行い、それ以外の形状を有する場合は、送信が許可された原稿ではないと判断して送信を行わないようにするものである。
【００３５】
図４は、本実施形態におけるファクシミリ装置の動作の流れを示すフローチャートである。
【００３６】
同図に示すように、まず、ファクシミリ装置１００に送信原稿をセットして、送信先番号を入力した後に、スタートボタンを押すと、原稿読取り部１１０によって、送信原稿の読み取りが行われ、原稿読取り部１１０によって読み取られた画像データが、画像記憶部１２０に格納される（Ｓ４０１）。なお、この場合、原稿読取り部１１０から出力される画像データは、カラーデータ、グレースケールデータ又は白黒二値データである。
【００３７】
画像記憶部１２０への送信原稿の画像データの格納が終了すると、送信可否判別部１３０によって、画像データから原稿の形状（用紙の形状）の抽出が行われ（Ｓ４０２）、抽出した形状に基づいて、読み取られた原稿が送信可能な原稿か否かの判別が行われる（Ｓ４０３）。
【００３８】
判別の結果、原稿の形状が送信可能な形状であった場合は（Ｓ４０３：Ｙｅｓ）、画像送信部１４０によって、画像記憶部１２０に格納された画像データが、指定された送信先に伝送される（Ｓ４０４）。一方、原稿の形状が送信可能な形状でなかった場合は（Ｓ４０３：Ｎｏ）、ファクシミリ装置１００の表示部に、エラーメッセージが表示され、利用者に当該原稿は送信できない旨が通知される（Ｓ４０５）。
【００３９】
以上のような処理を行うことにより、予め定められた形状を有する原稿のみ、ファクシミリ装置１００によって送信できるようにすることができる。
【００４０】
本実施形態は、例えば、管理領域内に設置されたファクシミリ装置で送信を行いたい原稿については、送信する前に管理者に内容を確認してもらい、管理者が管理する切り欠き形成器具によって、送信を承認したことを示す切り欠きを形成してもらうという運用が行われている状況で利用することが考えられる。
【００４１】
図５は、本実施形態における送信できない原稿と送信できる原稿の例を示す図である。すなわち、同図（ａ）は、送信できない原稿の例を示し、同図（ｂ）は、送信可能な原稿の例を示す。同図（ａ）に示すように、送信できない原稿５１０については、切り欠きが形成されていないが、同図（ｂ）に示すように、送信可能な原稿５２０については、管理者が管理する切り欠き形成器具によって、用紙の左側面部に切り欠き５２１が形成されている。この場合、ファクシミリ装置１００は、切り欠き５２１の有無によって、送信可能な原稿か否かの判別を行う。
【００４２】
≪第四実施形態≫
次に、送信原稿の記載内容によって、送信可能な原稿か否かを判別する実施形態について説明する。外部への漏洩が問題となる機密情報のひとつに、顧客情報があるが、かかる顧客情報が紙に印刷される場合、顧客の名前、住所、年齢等の項目が表形式で記載されることが多い。そこで、本実施形態では、送信原稿に表が含まれる場合は、当該原稿は、機密情報が記載された原稿であると判断して、送信を行わないようにする。
【００４３】
図６は、本実施形態におけるファクシミリ装置の動作の流れを示すフローチャートである。
【００４４】
同図に示すように、まず、ファクシミリ装置１００に送信原稿をセットして、送信先番号を入力した後に、スタートボタンを押すと、原稿読取り部１１０によって、送信原稿の読み取りが行われ、原稿読取り部１１０によって読み取られた画像データが、画像記憶部１２０に格納される（Ｓ６０１）。なお、この場合、原稿読取り部１１０から出力される画像データは、カラーデータ、グレースケールデータ又は白黒二値データである。
【００４５】
画像記憶部１２０への送信原稿の画像データの格納が終了すると、送信可否判別部１３０によって、画像データから原稿に含まれる線分の検出が行われ（Ｓ６０２）、検出した線分（群）に基づいて、読み取られた原稿に表が含まれているか否かの判別が行われる（Ｓ６０３）。
【００４６】
判別の結果、原稿に表が含まれていない場合は（Ｓ６０３：Ｎｏ）、画像送信部１４０によって、画像記憶部１２０に格納された画像データが、指定された送信先に伝送される（Ｓ６０４）。一方、原稿に表が含まれていた場合は（Ｓ６０３：Ｙｅｓ）、ファクシミリ装置１００の表示部に、エラーメッセージが表示され、利用者に当該原稿は送信できない旨が通知される（Ｓ６０５）。
【００４７】
以上のような処理を行うことにより、機密情報を含んでいる可能性が高い原稿が、ファクシミリ装置１００によって送信されることを防ぐことができる。なお、ここでは、原稿に含まれる線分群を検出することで、原稿に表が含まれているか否かを判別しているが、原稿に含まれる文字（群）を検出し、文字（群）の並び（配列）を調べることで、原稿に表形式の情報が含まれているか否かを判別するようにしてもよい。
【００４８】
以上、本発明の実施形態について説明したが、当然のことながら、本発明の実施形態は上記のものに限られない。例えば、上述した各実施形態において、送信可否判別部１３０によって送信可能な原稿であると判別した後に、更に、画像記憶部１２０に格納された画像データを、ローカルエリアネットワーク（ＬＡＮ）等を介して、管理者用端末装置等へ送信し、管理者用端末装置等の表示部に表示させ、管理者の承認を得た上で、画像送信部１４０によって、指定された送信先に伝送するようにしてもよい。
【００４９】
また、上述した実施形態では、送信可否判別部１３０は、画像記憶部１２０に記憶された送信原稿の画像データを解析して、当該原稿が送信可能か否かを判別していたが、ファクシミリ装置１００にセットされた原稿の色や形状等を検知するセンサをファクシミリ装置１００に別途設けて、当該センサの出力値によって、送信原稿が送信可能か否かを判別するようにしてもよい。
【図面の簡単な説明】
【００５０】
【図１】本発明によるファクシミリ装置の構成を示す図である。
【図２】第一実施形態におけるファクシミリ装置の動作の流れを示すフローチャートである。
【図３】第二実施形態におけるファクシミリ装置の動作の流れを示すフローチャートである。
【図４】第三実施形態におけるファクシミリ装置の動作の流れを示すフローチャートである。
【図５】第三実施形態における送信できない原稿及び送信可能な原稿の例を示す図である。
【図６】第四実施形態におけるファクシミリ装置の動作の流れを示すフローチャートである。
【符号の説明】
【００５１】
１００    ファクシミリ装置
１１０    原稿読取り部
１２０    画像記憶部
１３０    送信可否判別部
１４０    画像送信部
【図１】
2006261719.tif 000003
【図２】
2006261719.tif 000004
【図３】
2006261719.tif 000005
【図４】
2006261719.tif 000006
【図５】
2006261719.tif 000007
【図６】
2006261719.tif 000008